(57)【要約】【課題】  視認性に優れ、書き換えが自由なレシートとしても利用することができる会員カードを提供する。【解決手段】  少なくとも会員コードを記憶する記憶部５１が設けられたメモリ部５０ａと、電子画像を格納する電子ペーパー５２が設けられた電子ペーパー部５０ｂと、を具備し、商品販売データ処理装置における売上処理の際に、メモリ部５０ａの記憶部５１に売上処理データ(ポイント数)を記憶し、電子ペーパー部５０ｂの電子ペーパー５２に売上処理に基づくレシートイメージを目視可能に格納する。これにより、視認性に優れ、書き換えが自由なレシートとしても利用することができる会員カード５０を提供することができる。【選択図】    図１３
2005144837.tif 000002
【特許請求の範囲】
【請求項１】
少なくとも会員コードを記憶する記憶部が設けられたメモリ部と、
電子画像を格納する電子ペーパーが設けられた電子ペーパー部と、
を具備することを特徴とする会員カード。
【請求項２】
少なくとも会員コードを記憶する記憶部が設けられたメモリ部と、
電子画像を格納する電子ペーパーが設けられた電子ペーパー部と、
を具備し、
商品販売データ処理装置における売上処理の際に、前記メモリ部の前記記憶部には売上処理データが記憶され、前記電子ペーパー部の前記電子ペーパーに前記売上処理データに基づくレシートイメージが目視可能に格納される、
ことを特徴とする会員カード。
【請求項３】
商品の売上処理を行う商品販売データ処理装置に接続されるプリンタにおいて、
請求項１又は２記載の会員カードの記憶部に記憶されている会員コードを読み取る会員コード読取手段と、
前記会員カードの電子ペーパー部に設けられた電子ペーパーに対する書き込みを行う電子会員カード印字部と、
前記商品販売データ処理装置から送信される売上処理に係るレシート印字データを受信するレシート印字データ受信手段と、
を備え、
前記会員コード読取手段により会員コードが読み取られた場合、前記レシート印字データ受信手段により前記レシート印字データを受信し、受信した前記レシート印字データを前記電子会員カード印字部に出力する、
ことを特徴とするプリンタ。
【請求項４】
商品の売上処理を行う商品販売データ処理装置に接続されるプリンタにおいて、
請求項１又は２記載の会員カードの電子ペーパー部に設けられた電子ペーパーに対する書き込みを行う電子会員カード印字部と、
前記商品販売データ処理装置から送信される売上処理に係るレシート印字データを受信するレシート印字データ受信手段と、
を備え、
前記レシート印字データ受信手段により前記レシート印字データを受信し、受信した前記レシート印字データを前記電子会員カード印字部に出力する、
ことを特徴とするプリンタ。
【発明の詳細な説明】
【技術分野】
【０００１】
本発明は、会員カード及びプリンタに関する。
【背景技術】
【０００２】
量販店や専門店等においては、例えば、商品買上金額に応じたポイントを顧客カードに累積付加し、この累積ポイントに基づいて顧客に特典を与えるポイントサービスシステムが利用されている。このようなポイントサービスシステムを実施するにあたっては、顧客毎にポイントを記憶するための各種のカードが用いられている。近年においては、ポイントを貯めるだけではなくポイントをその都度支払いにあてることができるポイントサービスシステムに対応すべく、温度変化によってデータ印字の書き換えが自在とされており繰り返し印字可能なリライトカードが多く用いられている。
【０００３】
一方、ＰＯＳ端末等の商品販売データ処理装置においては、売上処理に基づくレシート印字データをレシート用紙に印字してレシートとして発行するレシートプリンタが搭載されており、全ての取引においてレシートの発行が行われている。
【０００４】
このようなレシート用紙は木材を主原料としており、発行されたレシートはその後に破棄されてしまうものであるため、森林保護等の地球環境の保護が叫ばれている今日の時代の流れに逆行するものである。
【０００５】
そこで、近年においては、温度変化によってデータ印字の書き換えが自在とされており繰り返し印字可能なリライトカード上に売上処理に基づくレシート印字データを印字することにより、レシートを発行したものとするようなことも検討されている。
【０００６】
【特許文献１】特開平１１−１２０４４０号公報
【発明の開示】
【発明が解決しようとする課題】
【０００７】
しかしながら、上述したようなリライトカード上に売上処理に基づくレシート印字データを印字することは可能であるが、リライトカードの性質上、印字が不鮮明になる場合がある。また、このようなリライトカードは通常財布等に入れられて携帯されることが多いため、印字面が汚れてしまう場合も想定される。このように印字が不鮮明であったり汚れてしまった場合には、リライトカード上に印字されたレシートイメージが見にくくなってしまうという問題がある。
【０００８】
本発明は、視認性に優れ、書き換えが自由なレシートとしても利用することができる会員カード及びプリンタを提供することを目的とする。
【課題を解決するための手段】
【０００９】
本発明の会員カードは、少なくとも会員コードを記憶する記憶部が設けられたメモリ部と、電子画像を格納する電子ペーパーが設けられた電子ペーパー部と、を具備する。
【００１０】
したがって、商品販売データ処理装置における売上処理の際に、メモリ部の記憶部に売上処理データを記憶し、電子ペーパー部の電子ペーパーに売上処理に基づくレシートイメージを目視可能に格納することが可能になる。
【発明の効果】
【００１１】
本発明によれば、会員カードに設けられた電子ペーパーに売上処理に基づくレシートイメージを目視可能に格納するようにしたので、会員カードを視認性に優れ、書き換えが自由なレシートとしても利用することができる。
【発明を実施するための最良の形態】
【００１２】
本発明の実施の一形態を図１ないし図１４に基づいて説明する。本実施の形態は、商品販売データ処理装置であるＰＯＳ（Point of Sales：販売時点管理）端末に対し、電子ペーパー及びレシート用紙に対して書き込み可能なプリンタを接続したものである。
【００１３】
ここで、図１はプリンタ２０が接続されたＰＯＳ端末１を概略的に示す外観斜視図である。図１に示すように、ＰＯＳ端末１は、ドロワ２上に載置されている。このＰＯＳ端末１には、各種のキーが集合するキーボード３、オペレータ側の表示部として機能するディスプレイ４、客側の表示部として機能する客側ディスプレイ５が設けられている。また、このＰＯＳ端末１には、商品に付される商品コードを光学的に読み取るためのバーコードスキャナ６が接続されている。
【００１４】
図２にキーボード３のキー配置を示す。このキーボード３には、商品区分登録を行なうための部門キー３ａ、商品コード、販売個数、金額、日時等を入力するための「０」から「９」までの置数キー３ｂ、売上処理において現金による決済を宣言するための預／現計キー３ｃ、売上合計金額の算出を宣言するための小計キー３ｄ等の各種キーが設けられている。また、キーボード３の一部には、本実施の形態における特有のキーとして、「会員カード入力」キー３ｅが設けられている。「会員カード入力」キー３ｅは後述する電子会員カード５０（図５参照）への書き込みの宣言を行なうためのキーである。
【００１５】
次に、ＰＯＳ端末１に備えられる各部の電気的接続を図３に基づいて説明する。図３に示すように、このＰＯＳ端末１は、マイクロコンピュータ（以下、マイコンという）１１を備えており、このマイコン１１によってＰＯＳ端末１が備える各部を駆動制御する。マイコン１１は、各部を集中的に駆動制御するＣＰＵ（Central Processing Unit）１２に、アドレスバス、データバス等のバスライン１３を介して、起動プログラム等の固定的データを予め格納するＲＯＭ（Read Only Memory）１４と、可変的なデータを書き換え自在に記憶してＣＰＵ１２のワークエリアとして機能するＲＡＭ（Random Access Memory）１５とが接続されて構成されている。なお、ＲＡＭ１５は、バッテリ（図示せず）によりバックアップされている。このマイコン１１が、前述したキーボード３、ディスプレイ４、客側ディスプレイ５、バーコードスキャナ６等の各部をバスライン１３と各種制御回路（図示せず）とを介して駆動制御する。
【００１６】
各種データを書き換え自在に格納する機能を有するＲＡＭ１５には、図４に示すように、レシート出力先テーブルＴ１が形成される。詳細は後述するが、このＰＯＳ端末１に接続されるプリンタ２０は、電子会員カード印字部２１（図５参照）と紙レシート印字部２２と（図５参照）を備えているため、レシート出力先テーブルＴ１は、電子会員カード印字部２１（図５参照）と紙レシート印字部２２とのどちらでレシート印字を実行させるか決定するためのフラグを記憶するものである。例えば、電子会員カード印字部２１が出力先であればフラグは「１」であり、紙レシート印字部２２が出力先であればフラグは「０」である。なお、フラグの初期値は「０」である。
【００１７】
また、マイコン１１にはバスライン１３を介してプリンタ用Ｉ／Ｆ１６が接続されており、このプリンタ用Ｉ／Ｆ１６によりＰＯＳ端末１に対してプリンタ２０を接続可能にしている。
【００１８】
加えて、マイコン１１に接続されたバスライン１３には記憶媒体であるＨＤＤ（Hard Disk Drive）１７が接続されており、このＨＤＤ１７にはＣＰＵ１２を動作させる制御プログラムや売上ファイル、商品マスタファイル等が格納されている。特に図示しないが、売上ファイルは、売上明細や合計金額等の売上処理に係る売上データを記憶保持するファイル構造を備える。また、商品マスタファイルは、商品の商品コード毎に商品名、単価、部門コード等を対応付けて記憶保持するファイル構造を備える。
【００１９】
以上のようなＰＯＳ端末１の売上処理の際の動作について簡単に説明する。例えば商品に付された商品コードがＰＯＳ端末１のバーコードスキャナ６によって読み取られると、ＰＯＳ端末１は読み取った商品コードに基づいて商品マスタファイルを検索し、該当する商品コードに対応した商品名や単価等を読み出し、商品コード、商品名、単価等に基づいて売上登録するとともに、部門別登録やディスプレイ４や客側ディスプレイ５への表示、またプリンタ２０により印字出力を行い、さらに売上登録した売上登録データを売上ファイルに累計する。
【００２０】
次に、プリンタ２０について説明する。ここで、図５はプリンタ２０を概略的に示す外観斜視図、図６はプリンタ２０の内部構造を概略的に示す断面図である。図５及び図６に示すように、プリンタ２０は、電子会員カード５０を書き込み対象とする電子会員カード印字部２１と、レシート用紙６０を書き込み対象とする紙レシート印字部２２とを備えている。
【００２１】
まず、電子会員カード印字部２１の構成について説明する。電子会員カード印字部２１には、プリンタ２０の前面に形成されたスリット状の電子カード挿入口２４とプリンタ２０の上面に形成されたスリット状の電子カード排出口２５とを連通し、電子会員カード５０の搬送方向を略水平方向から略鉛直方向（または、略鉛直方向から略水平方向）へと屈曲する搬送通路２３が設けられている。つまり、電子カード挿入口２４と電子カード排出口２５と搬送通路２３とによって、電子会員カード５０が搬送される搬送経路が構成されている。搬送通路２３には、搬送通路２３を一定の間隔を保ち挾むように対峙している回動自在な搬送ローラ対２６，２７が、配設されている。一方の搬送ローラ対２６は電子カード挿入口２４側に設けられており、他方の搬送ローラ対２７は電子カード排出口２５側に設けられている。搬送ローラ対２６，２７は、プリンタ２０内に設けられるモータ２８（図７参照）によって、電子会員カード５０を装置内に引き込む方向、または、装置外に排出する方向に選択的に搬送するように回転駆動される。
【００２２】
また、搬送通路２３の電子カード挿入口２４近傍には、電子会員カード５０に設けられる無線ＩＣタグ５１（図８参照）にアクセス可能な無線ＩＣタグ読取／書込部２９が配設されている。この無線ＩＣタグ読取／書込部２９は、コイル状の無線タグ用リーダアンテナ（図示せず）を備えており、通電により磁界を発生させる構成とされている。そして、この無線タグ用リーダアンテナが発生する磁界へと電子会員カード５０に設けられる無線ＩＣタグ５１が接近した場合には、無線ＩＣタグ５１に誘導起電力が発生して無線ＩＣタグ５１に記憶されたデータが無線タグ用リーダアンテナに対して送信されて読み取られ、または無線ＩＣタグ５１に対してデータが書き込まれることになる。
【００２３】
さらに、搬送通路２３の屈曲部近傍であって搬送ローラ対２６と搬送ローラ対２７との間には、電子会員カード５０に設けられる電子ペーパー５２（図８参照）に所定事項を表示させる電子会員カード書込部３０が配設されている。
【００２４】
したがって、搬送ローラ対２６，２７を駆動することにより、電子カード挿入口２４から挿入された電子会員カード５０を吸入して電子会員カード書込部３０において電子会員カード５０に所定事項を書き込み、電子カード排出口２５側から電子会員カード５０の一部を排出した後、再度電子会員カード５０を吸入して電子カード挿入口２４から排出することが可能となっている。
【００２５】
次に、紙レシート印字部２２の構成について説明する。紙レシート印字部２２には、長尺紙をロール状に巻回したロール紙であるレシート用紙６０を回動自在に保持する用紙収納部３１が設けられている。なお、レシート用紙６０は、用紙を下側から引き出すようにして用紙収納部３１に収納保持されている。このようなレシート用紙６０の用紙搬送方向Ａの下流側には、印字部３２が設けられている。この印字部３２には、ローラ対（図示せず）等によってレシート用紙６０を下側から引き出しながら略上方に搬送する用紙搬送経路３３が設けられていて、この用紙搬送経路３３を挟むようにしてサーマルプリンタヘッド３４とプラテンローラ３５とが設けられている。サーマルプリンタヘッド３４はレシート用紙６０の外周面に印字可能な位置に備えられ、このサーマルプリンタヘッド３４に対向してプラテンローラ３５が備えられている。また、プラテンローラ３５は、モータ２８（図７参照）を駆動源として回転することにより用紙搬送部材としても機能する。加えて、印字部３２の用紙搬送方向Ａの下流側には、レシートカッタ機構３６とプリンタ２０の上面に形成されるスリット状のレシート排出口３７とが設けられている。ここで、レシートカッタ機構３６は、図示しない駆動源に駆動されて動作する例えばギロチン型のオートカッタであり、レシート排出口３７よりも用紙搬送方向Ａの上流側に設けられている。したがって、レシート排出口３７から排出されたレシート用紙６０は、このレシートカッタ機構３６により切断された後、レシートとして発行されることになる。
【００２６】
次に、プリンタ２０が備える各部の電気的接続について図７を参照して説明する。図７に示すように、このプリンタ２０は、マイクロコンピュータ（以下、マイコンという）３８を備えており、このマイコン３８によってプリンタ２０が備える各部を駆動制御する。マイコン３８は、各部を集中的に駆動制御するＣＰＵ３９に、アドレスバス、データバス等のバスライン４０を介して、各種プログラム等の固定的データを予め格納するＲＯＭ４１と、可変的なデータを書き換え自在に記憶してＣＰＵ３９のワークエリアとして機能するＲＡＭ４２とが接続されて構成されている。なお、ＲＡＭ４２は、バッテリ（図示せず）によりバックアップされている。このマイコン３８が、前述したモータ２８、無線ＩＣタグ読取／書込部２９、電子会員カード書込部３０、サーマルプリンタヘッド３４等の各部をバスライン４０と各種制御回路（図示せず）とを介して駆動制御する。
【００２７】
また、マイコン３８にはバスライン４０を介してＰＯＳ端末用Ｉ／Ｆ４３が接続されており、このＰＯＳ端末用Ｉ／Ｆ４３によりプリンタ２０に対してＰＯＳ端末１を接続可能にしている。
【００２８】
さらにまた、電子カード挿入口２４の近傍には電子会員カード５０の挿入を検知するための透過型光センサであるセンサ４４が設けられていて、このセンサ４４もバスライン４０を介してマイコン３８に接続されている。
【００２９】
次に、電子会員カード５０について説明する。ここで、図８は電子会員カード５０を示す平面図である。電子会員カード５０は、データ記憶領域であるメモリ部５０ａと、データ表示領域である電子ペーパー部５０ｂとに区分されており、メモリ部５０ａには記憶部として機能するデータキャリアの一種である無線ＩＣタグ５１が備えられ、電子ペーパー部５０ｂには電子ペーパー５２が備えられている。
【００３０】
無線ＩＣタグ５１は、コイルアンテナと各種データを記憶するＩＣチップとを備えており、このコイルアンテナに誘導起電力を発生させることによりＩＣチップでのデータの送受信が可能な構成になっている。なお、図７においては説明のために無線ＩＣタグ５１を図示しているが、実際には外部からは見えない構造になっている。このような無線ＩＣタグ５１のＩＣチップには、図９に示すような会員テーブルＴ２が記憶されている。この会員テーブルＴ２には、会員コード及びポイント数が格納されている。会員コードは、会員を識別するためのものであって、各電子会員カード５０に対応付けられている。また、売上処理データの一つであるポイント数は、現時点で会員に付与されているポイント数であり、会員はポイント数に応じて割り引き等のサービスを受けることができる。
【００３１】
続いて、電子ペーパー５２について説明する。電子ペーパー５２は、電子ディスプレイと紙の長所を併せ持った表示装置であり、書き換えが可能で、紙同様に情報を保持したまま持ち歩くことができる。代表的な電子ペーパーの仕組みとしては、「マイクロカプセル型」の電気泳動方式が挙げられる。この電気泳動方式は、図１０に示すように、２枚の樹脂フィルムの間に、塗料やインクの顔料として用いられている「カーボンブラック」などでできたマイクロカプセルを挟み、電圧をかけてそれらを動かすことで、文字や画像を表示するというものである。したがって、本実施の形態の電子会員カード書込部３０は、２枚の樹脂フィルムの間のマイクロカプセルに対して電圧をかけて操作するようにしたものである。なお、電子ペーパー５２は、「マイクロカプセル型」電気泳動方式に限るものではなく、種々の方式を適用することができる。
【００３２】
このような構成の下、ＰＯＳ端末１に内蔵されたＨＤＤ１７に格納された制御プログラムがマイコン１１に実行させる機能及びプリンタ２０に内蔵されたＲＯＭ４１に格納された制御プログラムがマイコン３８に実行させる機能について説明する。なお、本実施の形態においては、従来のＰＯＳ端末１及びプリンタ２０によって行なわれる処理と同様の処理についてはその説明を省略する。
【００３３】
本実施の形態においては、電子会員カード５０に書き込みを希望する顧客は、商品登録の際にオペレータに電子会員カード５０を渡して書き込み依頼する。電子会員カード５０を渡されたオペレータは、ＰＯＳ端末１に接続されたプリンタ２０の電子カード挿入口２４に電子会員カード５０を挿入した後、商品登録を行う。
【００３４】
図１１のフローチャートに示すように、プリンタ２０のマイコン３８は、センサ４４を介して電子会員カード５０が電子カード挿入口２４に挿入されたことを検出すると（ステップＳ１のＹ）、電子会員カード５０を電子会員カード書込部３０まで搬送して待機する（ステップＳ２）。
【００３５】
次に、プリンタ２０のマイコン３８は、無線ＩＣタグ読取／書込部２９を制御して電子会員カード５０に設けられている無線ＩＣタグ５１に対する読み取リ電波を発信し（ステップＳ３）、無線ＩＣタグ５１に記憶されている会員コードを読み取る。
【００３６】
電子会員カード５０の無線ＩＣタグ５１に記憶されている会員コードを読み取ると（ステップＳ４のＹ：会員コード読取手段）、電子会員カード５０を検出したと判断し、プリンタ２０に接続されているＰＯＳ端末１に対して会員コードデータを送信する（ステップＳ５）。
【００３７】
なお、電子会員カード５０の無線ＩＣタグ５１に記憶されている会員コードが読み取れなかった場合には（ステップＳ４のＮ）、読み取りエラー信号を出力した後（ステップＳ６）、電子会員カード５０を電子カード挿入口２４から排出させる（ステップＳ７）。
【００３８】
ＰＯＳ端末１のマイコン１１は、プリンタ２０から送信された会員コードデータを受信すると（ステップＳ１１のＹ）、レシート出力先テーブルＴ１のフラグを「１」に書き換える（ステップＳ１２）。
【００３９】
上述したような処理が終了した後、図１２に示すように、ＰＯＳ端末１のマイコン１１は、売上処理の際に預／現計キー３ｃが操作されると、締め処理を実行し（ステップＳ２１）、今回取引後の更新されたポイント数を算出した後（ステップＳ２２）、レシート印字データを作成する（ステップＳ２３）。そして、ＰＯＳ端末１のマイコン１１は、レシート印字データを作成した後（ステップＳ２３）、レシート出力先テーブルＴ１に記憶されているフラグが「１」であるか否かを判断する（ステップＳ２４）。
【００４０】
ＰＯＳ端末１のマイコン１１は、レシート出力先テーブルＴ１のフラグが「１」であれば（ステップＳ２４のＹ）、作成したレシート印字データに電子ペーパー出力指示データ及び更新されたポイント数を付加した後（ステップＳ２５）、プリンタ２０にレシート印字テータを送信する（ステップＳ２６）。一方、レシート出力先テーブルＴ１のフラグが「１」でなければ（ステップＳ２４のＮ）、作成したレシート印字データをそのままプリンタ２０に送信する（ステップＳ２６）。
【００４１】
図１２に示すように、プリンタ２０のマイコン３８は、ＰＯＳ端末１から送信されたレシート印字データを受信すると（ステップＳ３１のＹ：レシート印字データ受信手段）、受信したレシート印字データに電子ペーパー出力指示データが付加されているか否かを判断する（ステップＳ３２）。プリンタ２０のマイコン３８は、電子ペーパー出力指示データが付加されていなければ（ステップＳ３２のＮ）、紙レシート印字部２２側を駆動制御して紙レシートを印字発行する（ステップＳ３３）。また、プリンタ２０のマイコン３８は、電子ペーパー出力指示データが付加されていれば（ステップＳ３２のＹ）、無線ＩＣタグ読取／書込部２９を制御して電子会員カード５０に設けられている無線ＩＣタグ５１に更新されたポイント数を書き込み（ステップＳ３４）、電子会員カード印字部２１を駆動制御して電子会員カード書込部３０により電子会員カード５０の電子ペーパー５２にレシート印字データに基づくレシートイメージ及び累計ポイント数を書き込んで電子会員カード５０を発行する（ステップＳ３５）。図１３は、発行された電子会員カード５０の一例である。図１３に示すように、発行された電子会員カード５０には、目視できる情報として、レシートイメージ、累計ポイント数等が表示されている。
【００４２】
プリンタ２０のマイコン３８は、レシート又は電子会員カード５０の発行後、レシート発行完了データをＰＯＳ端末１に送信する（ステップＳ３６）。
【００４３】
そして、ＰＯＳ端末１のマイコン１１は、プリンタ２０から送信されたレシート発行完了データを受信すると（ステップＳ２７のＹ）、レシート出力先テーブルＴ１のフラグを「０」に書き換える（ステップＳ２８）。
【００４４】
このように本実施の形態によれば、ＰＯＳ端末１における売上処理の際に、メモリ部５０ａの無線ＩＣタグ５１に売上処理データ（ポイント数）を記憶し、電子ペーパー部５０ｂの電子ペーパー５２に売上処理に基づくレシートイメージを目視可能に格納することができるので、電子会員カード５０を視認性に優れ、書き換えが自由なレシートとしても利用することができる。
【００４５】
なお、電子会員カード５０に書込を希望する顧客から電子会員カード５０への書き込み依頼があった際に、オペレータがＰＯＳ端末１のキーボード３に設けられた「会員カード入力」キー３ｅの操作を行って、電子会員カード５０ヘの書き込み処理を実行するようにしても良い。このときＰＯＳ端末１のマイコン１１は、「会員カード入力」キー３ｅの操作があると、レシート出力先テーブルＴ１のフラグを「１」に書き換えることになる。
【００４６】
ここで、電子会員カードの変形例について図１４を参照して説明する。本実施の形態の会員カードには、顧客が購入した商品の明細を印字する必要がある。しかしながら、図８に示したような電子会員カード５０の電子ペーパー部５０ｂに設けられている電子ペーパー５２だけでは、顧客が購入した商品の明細全てを印字（表示）できない場合が想定される。そこで、図１４に示す電子会員カード５０においては、電子ペーパー部５０ｂ（電子ペーパー５２）を折り曲げ可能に複数枚連結し、印字（表示）領域を拡大するようにしている。図１４には、二つ折り可能な電子会員カード５０が記載されているが、これに限るものではなく、三つ折り以上可能なものでも良い。
【図面の簡単な説明】
【００４７】
【図１】本発明の実施の一形態のプリンタが接続されたＰＯＳ端末を概略的に示す外観斜視図である。
【図２】キーボードのキー配置を示す平面図である。
【図３】ＰＯＳ端末に備えられる各部の電気的接続を示すブロック図である。
【図４】レシート出力先テーブルを示す模式図である。
【図５】プリンタを概略的に示す外観斜視図である。
【図６】プリンタの内部構造を概略的に示す断面図である。
【図７】プリンタが備える各部の電気的接続を示すブロック図である。
【図８】電子会員カードを示す平面図である。
【図９】会員テーブルを示す模式図である。
【図１０】電子ペーパーの仕組みを示す説明図である。
【図１１】ＰＯＳ端末及びプリンタによって行なわれる処理の流れを示すフローチャートである。
【図１２】ＰＯＳ端末及びプリンタによって行なわれる処理の流れを示すフローチャートである。
【図１３】発行された電子会員カードの一例を示す平面図である。
【図１４】電子会員カードの変形例を示す平面図である。
【符号の説明】
【００４８】
１…商品販売データ処理装置、２０…プリンタ、２１…電子会員カード印字部、５０…会員カード、５０ａ…メモリ部、５０ｂ…電子ペーパー部、５１…記憶部、５２…電子ペーパー
【図１】
2005144837.tif 000003
【図２】
2005144837.tif 000004
【図３】
2005144837.tif 000005
【図４】
2005144837.tif 000006
【図５】
2005144837.tif 000007
【図６】
2005144837.tif 000008
【図７】
2005144837.tif 000009
【図８】
2005144837.tif 000010
【図９】
2005144837.tif 000011
【図１０】
2005144837.tif 000012
【図１１】
2005144837.tif 000013
【図１２】
2005144837.tif 000014
【図１３】
2005144837.tif 000015
【図１４】
2005144837.tif 000016